(57)【要約】【課題】ウォームアップの時間が長くなるのを抑制しつつ、印刷品質が低下するのを抑制する。【解決手段】画像形成装置は、定着ローラーおよび加圧ローラーと、定着ローラーの中央部の温度を検知する中央部温度センサーと、機外温度を検知する機外温度センサーと、制御部と、を備え、制御部は、ウォームアップ処理を開始するとき、定着ローラーの中央部温度が第１閾値温度以下であり、かつ、機外温度が第２閾値温度以下であるという第１条件を満たしているか否かの第１判定を行い、制御部は、第１条件を満たしているとき、ウォームアップ処理を行うときの定着ローラーの回転速度を第１速度に設定し、第１条件を満たしていないとき、ウォームアップ処理を行うときの定着ローラーの回転速度を第１速度よりも遅い速度に設定する。【選択図】図３
2018205422.tif 000002
【特許請求の範囲】
【請求項１】
トナー像を形成し用紙に転写する画像形成部と、
ヒーターにより加熱されるとともにモーターの駆動力を受けて回転する定着ローラー、および、前記定着ローラーに圧接し前記定着ローラーの回転に従動して回転する加圧ローラーを含み、前記用紙に転写された前記トナー像を前記用紙に定着させる定着部と、
前記定着ローラーの周面のうち前記定着ローラーの回転軸方向の中央部の温度を検知するための中央部温度センサーと、
画像形成装置の機外温度を検知するための機外温度センサーと、
前記モーターを駆動させて前記定着ローラーを回転させつつ前記ヒーターに通電することによって前記定着部を温めるウォームアップ処理を行う制御部と、を備え、
前記制御部は、前記ウォームアップ処理を開始するとき、前記中央部温度センサーの出力値に基づき前記定着ローラーの中央部の温度を検知するとともに、前記機外温度センサーの出力値に基づき前記機外温度を検知し、前記定着ローラーの中央部の温度が予め定められた第１閾値温度以下であり、かつ、前記機外温度が予め定められた第２閾値温度以下であるという第１条件を満たしているか否かの第１判定を行い、
前記制御部は、前記第１条件を満たしているとき、前記ウォームアップ処理を行うときの前記定着ローラーの回転速度を予め定められた第１速度に設定し、前記第１条件を満たしていないとき、前記ウォームアップ処理を行うときの前記定着ローラーの回転速度を前記第１速度よりも遅い速度に設定することを特徴とする画像形成装置。
【請求項２】
前記制御部は、前記第１条件を満たしていないとき、前回の印刷での印刷枚数が予め定められた閾値枚数以下であり、かつ、前記前回の印刷が終了してからの経過時間が予め定められた閾値時間以上であるという第２条件を満たしているか否かの第２判定を行い、
前記制御部は、前記第２条件を満たしているとき、前記ウォームアップ処理を行うときの前記定着ローラーの回転速度を前記第１速度よりも遅い予め定められた第２速度に設定し、前記第２条件を満たしていないとき、前記ウォームアップ処理を行うときの前記定着ローラーの回転速度を前記第２速度よりも遅い速度に設定することを特徴とする請求項１に記載の画像形成装置。
【請求項３】
前記定着ローラーの周面のうち前記回転軸方向の端部の温度を検知するための端部温度センサーを備え、
前記制御部は、前記第２条件を満たしていないとき、前記端部温度センサーの出力値に基づき前記定着ローラーの端部の温度を検知し、前記定着ローラーの中央部の温度と端部の温度との温度差の絶対値が予め定められた閾値差以下であり、かつ、前記前回の印刷で用いた用紙の前記回転軸方向のサイズが所定サイズ以上であるという第３条件を満たしているか否かの第３判定を行い、
前記制御部は、前記第３条件を満たしているとき、前記ウォームアップ処理を行うときの前記定着ローラーの回転速度を前記第２速度よりも遅い予め定められた第３速度に設定し、前記第３条件を満たしていないとき、前記ウォームアップ処理を行うときの前記定着ローラーの回転速度を前記第３速度よりも遅い予め定められた第４速度に設定することを特徴とする請求項２に記載の画像形成装置。
【請求項４】
画像形成装置への主電源の投入と遮断とを行うための電源スイッチを備え、
前記制御部は、前記電源スイッチにより前記主電源が投入されたことによって前記ウォームアップ処理を開始するとき、前記第１判定を行うことを特徴とする請求項３に記載の画像形成装置。
【請求項５】
前記制御部は、通常モードから前記通常モードよりも消費電力を抑制する省電力モードに移行すると前記ヒーターへの通電を停止し、前記省電力モードから前記通常モードに復帰したときに前記ウォームアップ処理を行い、
前記制御部は、前記省電力モードから前記通常モードに復帰したことによって前記ウォームアップ処理を開始するとき、前記第１判定を省略して前記第２判定を行うことを特徴とする請求項３または４に記載の画像形成装置。
【請求項６】
画像形成装置に開閉可能に取り付けられたカバーと、
前記カバーの開閉を検知するための開閉センサーと、を備え、
前記制御部は、前記開閉センサーの出力値に基づき前記カバーが開状態になったことを検知すると前記ヒーターへの通電を停止し、前記開閉センサーの出力値に基づき前記カバーが開状態から閉状態に変化したことを検知したときに前記ウォームアップ処理を行い、
前記制御部は、前記カバーが開状態から閉状態に変化したことによって前記ウォームアップ処理を開始するとき、前記第１判定および前記第２判定を省略して前記第３判定を行うことを特徴とする請求項３〜５のいずれか１項に記載の画像形成装置。
【発明の詳細な説明】
【技術分野】
【０００１】
本発明は、定着部を備える画像形成装置に関する。
【背景技術】
【０００２】
画像形成装置の定着部は、定着ローラーおよび加圧ローラーを含む。定着ローラーは、ヒーターにより加熱されるとともに、モーターの駆動力を受けて回転する。加圧ローラーは、定着ローラーに圧接し、定着ローラーとの間で定着ニップを形成する。また、加圧ローラーは、定着ローラーの回転に従動して回転する。そして、定着部は、定着ニップを通過する用紙を加熱および加圧し、用紙にトナー像を定着させる。
【０００３】
たとえば、所定時点になると、定着部のウォームアップが開始される。通常では、加圧ローラーの周面温度も均一に昇温させるため、定着部のウォームアップは定着ローラーを回転させつつ行われる（たとえば、特許文献１参照）。定着部のウォームアップは、定着ローラーの周面温度が予め定められた定着制御温度に達することで終了する。
【先行技術文献】
【特許文献】
【０００４】
【特許文献１】特開２００１−１５４５３０号公報
【発明の概要】
【発明が解決しようとする課題】
【０００５】
定着部のウォームアップのとき、定着ローラーは予め定められた回転速度で回転する。たとえば、ウォームアップのときの定着ローラーの回転速度は印刷時の回転速度と同じである。
【０００６】
ウォームアップのときに定着ローラーを比較的速い回転速度（たとえば、印刷時の回転速度）で回転させると、定着ローラーの熱が加圧ローラーに奪われ難くなる。このため、定着ローラーの周面温度が定着制御温度に達するタイミングを早めることができる。
【０００７】
ここで、加圧ローラーの周面をムラなく温めるには、ウォームアップのときに定着ローラーを比較的遅い回転速度（たとえば、印刷時よりも遅い回転速度）で回転させるのが好ましい。すなわち、ウォームアップ時間を十分に取った方が良い。たとえば、ウォームアップのときに定着ローラーを比較的速い回転速度で回転させると、加圧ローラーの周面に温度ムラが生じた状態で定着ローラーの周面温度が定着制御温度に達してウォームアップが終了し、加圧ローラーの周面に温度ムラが生じたまま印刷が開始される場合がある。この場合、印刷品質が低下する（定着不良が発生する）という不都合が生じ得る。しかし、ウォームアップのときに定着ローラーを比較的遅い回転速度で回転させると、ウォームアップ時間が長くなってしまう。
【０００８】
本発明は、上記課題を解決するためになされたものであり、定着部のウォームアップの開始から終了までの時間が長くなるのを抑制しつつ、印刷品質が低下する（定着不良が発生する）のを抑制することが可能な画像形成装置を提供することを目的とする。
【課題を解決するための手段】
【０００９】
上記目的を達成するために、本発明の画像形成装置は、トナー像を形成し用紙に転写する画像形成部と、ヒーターにより加熱されるとともにモーターの駆動力を受けて回転する定着ローラー、および、定着ローラーに圧接し定着ローラーの回転に従動して回転する加圧ローラーを含み、用紙に転写されたトナー像を用紙に定着させる定着部と、定着ローラーの周面のうち定着ローラーの回転軸方向の中央部の温度を検知するための中央部温度センサーと、画像形成装置の機外温度を検知するための機外温度センサーと、モーターを駆動させて定着ローラーを回転させつつヒーターに通電することによって定着部を温めるウォームアップ処理を行う制御部と、を備える。制御部は、ウォームアップ処理を開始するとき、中央部温度センサーの出力値に基づき定着ローラーの中央部の温度を検知するとともに、機外温度センサーの出力値に基づき機外温度を検知し、定着ローラーの中央部の温度が予め定められた第１閾値温度以下であり、かつ、機外温度が予め定められた第２閾値温度以下であるという第１条件を満たしているか否かの第１判定を行う。そして、制御部は、第１条件を満たしているとき、ウォームアップ処理を行うときの定着ローラーの回転速度を予め定められた第１速度に設定し、第１条件を満たしていないとき、ウォームアップ処理を行うときの定着ローラーの回転速度を第１速度よりも遅い速度に設定する。
【００１０】
本発明の構成では、制御部は、第１条件を満たしていれば、ウォームアップ処理を行うときの定着ローラーの回転速度を第１速度に設定し、第１条件を満たしていなければ、ウォームアップ処理を行うときの定着ローラーの回転速度を第１速度よりも遅い速度に設定する。ここで、ウォームアップ処理を行うときの定着ローラーの回転速度が第１条件を満たしている場合と第１条件を満たしていない場合とで同じであったとすると、第１条件を満たしている場合には、第１条件を満たしていない場合に比べて、定着ローラーの周面温度が所定温度に昇温するまでの時間が長くなる。このため、制御部は、第１条件を満たしているとき、ウォームアップ処理を行うときの定着ローラーの回転速度を第１速度に設定する。これにより、ウォームアップの開始から終了までの時間が長くなるのを抑制することができる。
【００１１】
第１条件を満たしていないときには、ウォームアップ処理を行うときの定着ローラーの回転速度が第１速度よりも遅い速度に設定される。これにより、定着部の温度ムラを抑制することができるので、印刷品質が低下する（定着不良が発生する）のを抑制することができる。なお、第１条件を満たしていないということは、ウォームアップ処理の開始時点で定着ローラーの周面温度が第１閾値温度を超えている、あるいは、ウォームアップ処理の開始時点で機外温度が第２閾値温度を超えている、ということである。このため、ウォームアップ処理を行うときの定着ローラーの回転速度を遅くしても、ウォームアップの開始から終了までの時間が長くなるのを抑制することができる。
【発明の効果】
【００１２】
本発明の構成では、定着部のウォームアップの開始から終了までの時間が長くなるのを抑制しつつ、印刷品質が低下する（定着不良が発生する）のを抑制することができる。
【図面の簡単な説明】
【００１３】
【図１】本発明の一実施形態による画像形成装置の構成を示す概略図
【図２】本発明の一実施形態による画像形成装置の構成を示すブロック図
【図３】本発明の一実施形態による画像形成装置の制御部により行われる回転速度設定処理の流れを示すフローチャート
【図４】本発明の一実施形態による画像形成装置の制御部により行われる第１判定の流れを示すフローチャート
【図５】本発明の一実施形態による画像形成装置の制御部により行われる第２判定の流れを示すフローチャート
【図６】本発明の一実施形態による画像形成装置の制御部により行われる第３判定の流れを示すフローチャート
【発明を実施するための形態】
【００１４】
＜画像形成装置の構成＞
図１に示すように、本実施形態の画像形成装置１００は、画像読取部１および印刷部２を備える。画像読取部１は、原稿を光学的に読み取って原稿の画像データを生成する。印刷部２は、印刷ジョブの実行時に、用紙搬送路２０（図１では、破線で示す）に沿って用紙Ｐを搬送するとともに、印刷すべき画像の画像データに基づきトナー像を形成し、搬送中の用紙Ｐにトナー像を印刷（転写）する。たとえば、コピージョブの実行時には、画像読取部１が読み取った原稿の画像データに基づく画像の用紙Ｐへの印刷が印刷部２により行われる。
【００１５】
印刷部２は、給紙部３、画像形成部４および定着部５を備える。給紙部３は、用紙カセットＣＡから用紙Ｐを引き出し、用紙搬送路２０に用紙Ｐを給紙する。なお、用紙搬送路２０には搬送ローラー対が設けられており、用紙搬送路２０に給紙された用紙Ｐは搬送ローラー対によって搬送される。
【００１６】
画像形成部４は、感光体ドラム４１、帯電装置４２、露光装置４３、現像装置４４および転写ローラー４５を含む。印刷ジョブの実行時には、帯電装置４２が感光体ドラム４１を帯電させる。また、露光装置４３は、感光体ドラム４１を露光し、印刷すべき画像の画像データに基づく静電潜像を感光体ドラム４１に形成する。現像装置４４は、感光体ドラム４１に向けてトナーを供給し、静電潜像をトナー像に現像する。転写ローラー４５は、感光体ドラム４１との間で転写ニップを形成し、転写ニップを通過する用紙Ｐにトナー像を転写する。
【００１７】
定着部５は、転写ニップの位置よりも用紙搬送方向下流側の位置に設置される。画像形成部４がトナー像を転写した用紙Ｐは定着部５に向けて搬送される。定着部５は、画像形成部４から搬送されてくる用紙Ｐを加熱および加圧し、用紙Ｐにトナー像を定着させる。
【００１８】
定着部５は、定着ローラー５１と加圧ローラー５２とからなる定着ローラー対を含む。定着ローラー５１は、ヒーター５３を内蔵する。また、定着ローラー５１は、定着モーター５４（図２参照）に連結される。そして、定着ローラー５１は、定着モーター５４から駆動力を受けて回転する。
【００１９】
加圧ローラー５２は、定着ローラー５１に圧接し、定着ローラー５１との間で定着ニップを形成する。加圧ローラー５２が定着ローラー５１に圧接することにより、定着ローラー５１が回転すると、定着ローラー５１の回転に従動して加圧ローラー５２が回転する。
【００２０】
印刷ジョブの実行時には、定着ローラー５１が回転する。すなわち、加圧ローラー５２も回転する。また、定着ローラー５１の周面温度が予め定められた定着制御温度に維持される。そして、画像形成部４からの用紙Ｐが定着ニップに進入する。このときに、用紙Ｐが加熱および加圧される。定着ニップを抜けた用紙Ｐはそのまま搬送され、排出トレイＥＴに排出される。
【００２１】
また、画像形成装置１００には、操作パネル６が設けられる。操作パネル６は、タッチパネルディスプレイ６１を含む。タッチパネルディスプレイ６１は、設定画面を表示し、ユーザーからジョブに関する設定操作を受け付ける。
【００２２】
なお、画像形成装置１００の本体側面には、カバー１０１が開閉可能に設置される。カバー１０１が閉状態から開状態になると、画像形成装置１００の内部が露出される。このため、カバー１０１は、ジャムが発生した場合などに、ユーザーによって開けられる。そして、画像形成装置１００の内部からジャム用紙Ｐを除去するジャム解消作業などがユーザーによって行われる。
【００２３】
また、図２に示すように、画像形成装置１００は、制御部７を備える。制御部７は、ＣＰＵ７１およびメモリー７２を含む。ＣＰＵ７１は、制御用のプログラムおよびデータに基づき動作し、画像形成装置１００の各部の動作を制御するための処理を行う。なお、ＣＰＵ７１を動作させるための制御用のプログラムおよびデータはメモリー７２に記憶される。
【００２４】
制御部７は、画像読取部１および印刷部２に接続され、画像読取部１の読取動作および印刷部２の印刷動作を制御する。また、制御部７は、操作パネル６に接続され、操作パネル６の表示動作を制御したり、操作パネル６に対して行われた操作を検知したりする。
【００２５】
ここで、制御部７は、定着部５を制御するための定着制御処理を行う。制御部７による定着制御処理では、定着モーター５４の駆動を制御するモーター制御処理が行われる。制御部７は、定着モーター５４の駆動を制御し、定着ローラー５１および加圧ローラー５２を適切に回転させる（回転と回転停止とを切り替える）。
【００２６】
また、制御部７による定着制御処理では、定着ローラー５１の周面温度を予め定められた定着制御温度に維持する温度制御処理が行われる。制御部７は、ヒーター５３への通電のオンオフを切り替えることにより、定着ローラー５１の周面温度を定着制御温度に維持する。
【００２７】
制御部７に温度制御処理を行わせるため、制御部７には定着温度センサー５５が接続される。定着温度センサー５５は、定着部５の温度に応じた電圧を出力する温度センサーである。たとえば、定着温度センサー５５は、サーミスターを含む。サーミスターは、定着ローラー５１の周面に対向配置され、定着ローラー５１の周面温度に応じて抵抗値を変化させる。すなわち、定着温度センサー５５の出力値は、定着ローラー５１の周面温度に応じて変化する。
【００２８】
なお、定着温度センサー５５は、中央部温度センサー５５１および端部温度センサー５５２を含む。中央部温度センサー５５１は、定着ローラー５１の周面のうち定着ローラー５１の回転軸方向の中央部の温度を検知するためのセンサーであり、当該中央部に対向配置され、当該中央部の温度に応じて出力値を変化させる。端部温度センサー５５２は、定着ローラー５１の周面のうち定着ローラー５１の回転軸方向の端部の温度を検知するためのセンサーであり、当該端部に対向配置され、当該端部の温度に応じて出力値を変化させる。制御部７は、中央部温度センサー５５１の出力値に基づき、定着ローラー５１の周面のうち定着ローラー５１の回転軸方向の中央部の温度（以下、中央部温度と略称する）を検知する。また、制御部７は、端部温度センサー５５２の出力値に基づき、定着ローラー５１の周面のうち定着ローラー５１の回転軸方向の端部の温度（以下、端部温度と略称する）を検知する。
【００２９】
また、画像形成装置１００は、カバー１０１の開閉状態を検知するための開閉センサー１１０を備える。開閉センサー１１０は、カバー１０１の開閉状態に応じて出力値を変化させる光センサーである。制御部７は、開閉センサー１１０の出力値に基づき、カバー１０１の開閉状態（カバー１０１が開状態であるか閉状態であるか）を検知する。
【００３０】
たとえば、ジャムが発生し、ユーザーがカバー１０１を開けた場合、制御部７はカバー１０１が開状態になったことを検知する。ジャムが発生すると、ユーザーは画像形成装置１００の内部に手を入れてジャム解消作業を行う。このため、カバー１０１が開状態になったことを検知したとき、制御部７は、ヒーター５３への通電を停止する。それ以降、カバー１０１が開状態から閉状態になったことを検知すると、制御部７は、後述するウォームアップ処理を行う。
【００３１】
また、画像形成装置１００は、画像形成装置１００の機外温度（画像形成装置１００の本体周辺の温度）を検知するための機外温度センサー１２０を備える。機外温度センサー１２０は、サーミスターを含み、機外温度に応じて出力値を変化させる。制御部７は、機外温度センサー１２０の出力値に基づき、機外温度を検知する。なお、機外温度センサー１２０の設置位置は特に限定されない。たとえば、画像形成装置１００の本体側面の外側に機外温度センサー１２０が設置される。
【００３２】
また、画像形成装置１００は、商用電源と接続される電源部８を備える。電源部８は、電圧を生成する電源回路などを含む。電源部８は、画像形成装置１００の各部を動作させるための電圧を生成し、当該各部に電力を供給する。制御部７は、電源部８の電力供給動作を制御する。
【００３３】
画像形成装置１００には、画像形成装置１００への主電源の投入と遮断とを行うための電源スイッチＳＷが設けられる。電源スイッチＳＷは、ユーザーによって操作される。たとえば、電源スイッチＳＷは、操作パネル６に配置される。ユーザーが電源スイッチＳＷを操作して主電源を投入すると、画像形成装置１００の各部への電力供給を電源部８が開始する。また、画像形成装置１００の各部への電力供給が開始されると（画像形成装置１００に主電源が投入されると）、制御部７は、後述するウォームアップ処理を行う。
【００３４】
なお、画像形成装置１００には、電力供給モードとして、通常モードおよび省電力モードが搭載される。通常モードは、電源部８が通常の電力供給を行うモードである。省電力モードは、電源部８が行う電力供給を通常モードよりも制限するモード（消費電力を抑制するモード）である。以下の説明では、画像形成装置１００が通常モードで動作している期間を通常期間と称し、画像形成装置１００が省電力モードで動作している期間を省電力期間と称する。
【００３５】
制御部７は、通常期間のとき、画像形成装置１００を通常モードから省電力モードに移行させる条件として予め定められた移行条件が満たされたか否かを判断する。そして、移行条件が満たされたとき、制御部７は、電源部８に指示し、画像形成装置１００を省電力モードに移行させる。たとえば、制御部７は、画像形成装置１００が使用されないまま経過した時間である未使用時間を計測し、未使用時間が所定時間を超えたとき、移行条件が満たされたと判断する。あるいは、通常モードから省電力モードへの移行指示をユーザーから受け付けるための省電力キーが操作パネル６に設置されている場合、制御部７は、通常期間のときに省電力キーに対する操作を検知したときに、移行条件が満たされたと判断する。
【００３６】
電源部８は、通常期間のとき、画像形成装置１００の各部に通常の電力供給を行うことにより、画像形成装置１００をジョブの実行が可能なレディ状態にする。一方で、電源部８は、省電力期間のとき、画像形成装置１００の各部への電力要求を通常期間のときよりも制限する。たとえば、電源部８は、タッチパネルディスプレイ６１の表示パネル（バックライト）への電力供給を停止する。したがって、操作パネル６は、省電力期間のとき、設定画面の表示を行わない。このため、省電力期間のときには、ユーザーはジョブに関する設定操作を行うことができない。
【００３７】
省電力期間のときには、電源部８から画像読取部１や印刷部２への電力供給も停止される。また、電源部８は、省電力期間のとき、制御部７への電力供給を一部停止する。このとき、制御部７は、演算処理などは行わず、一部の端子（割り込みポート）に入力された信号だけを取り込む省電力状態となる。たとえば、制御部７は、省電力状態になると、定着部５の温度を制御する温度制御処理を行わない。すなわち、制御部７は、ヒーター５３への通電を停止する。
【００３８】
画像形成装置１００が省電力モードに移行して以降、省電力モードから通常モードに復帰する条件として予め定められた復帰条件が満たされると、画像形成装置１００は通常モードに移行する。たとえば、電源部８は、復帰条件が満たされたことを示す復帰信号を復帰条件検知部から受けると、復帰条件が満たされたと判断する。そして、電源部８は、画像形成装置１００の各部に通常の電力供給を行う。これにより、画像形成装置１００が省電力モードから通常モードに復帰する。
【００３９】
復帰条件検知部に相当する部分としては、操作パネル６が挙げられる。たとえば、操作パネル６は、省電力期間のとき、非表示状態のタッチパネルディスプレイ６１に対するタッチを検知すると、電源部８に復帰信号を送信する。
【００４０】
さらに、原稿カバー１０２（図１参照）の開閉を検知するための原稿カバーセンサー（図示せず）なども復帰条件検知部として機能する。なお、原稿カバー１０２は、画像形成装置１００（画像読取部１）への原稿のセット時に開閉されるカバーである。原稿カバーセンサーは、省電力期間のとき、原稿カバー１０２が開閉されると、電源部８に復帰信号を送信する。
【００４１】
また、画像形成装置１００が省電力モードから通常モードに復帰すると、制御部７は、予め定められた復帰処理を行う。たとえば、復帰処理の一処理として、後述するウォームアップ処理が制御部７により行われる。
【００４２】
＜ウォームアップ処理＞
制御部７は、定着部５（定着ローラー５１）を定着制御温度に昇温させるウォームアップ処理を行う。制御部７がウォームアップ処理を開始する時点は予め定められており、画像形成装置１００に主電源が投入されたとき（電源スイッチＳＷがオフからオンに切り替わったとき）、画像形成装置１００が省電力モードから通常モードに復帰したとき、および、カバー１０１が開状態から閉状態になったときである。なお、制御部７によるウォームアップ処理が開始される直前の時点では、ヒーター５３への通電が停止されている。また、定着モーター５４の駆動が停止されている（定着ローラー５１および加圧ローラー５２は回転していない）。
【００４３】
ウォームアップ処理を行うとき、制御部７は、定着モーター５４を駆動させて定着ローラー５１および加圧ローラー５２を回転させる。また、制御部７は、ヒーター５３への通電を再開する。このとき、制御部７は、ウォームアップ処理の実行中である旨のメッセージを操作パネル６に表示させる。当該メッセージの表示は、ウォームアップ処理が終了するまで続行される。
【００４４】
また、制御部７は、ウォームアップ処理の実行中、中央部温度センサー５５１の出力値に基づき定着ローラー５１の中央部温度を検知するとともに、端部温度センサー５５２の出力値に基づき定着ローラー５１の端部温度を検知する。そして、制御部７は、定着ローラー５１の中央部温度および端部温度がそれぞれ定着制御温度になると、ウォームアップ処理が正常に終了したと判断する。このとき、操作パネル６は、ウォームアップ処理の実行中である旨のメッセージに代えて、画像形成装置１００がレディ状態（ジョブの実行が可能な状態）になった旨のメッセージを表示する。
【００４５】
ここで、制御部７は、ウォームアップ処理を開始するとき、第１判定、第２判定および第３判定の少なくとも１つの判定を行う。そして、制御部７は、判定結果に基づき、ウォームアップ処理を行うときの定着ローラー５１の回転速度（定着モーター５４の回転数）を設定する回転速度設定処理を行う。定着ローラー５１の回転速度は、第１速度、第２速度、第３速度および第４速度の４段階に切り替え可能である。
【００４６】
第１速度は、印刷時の回転速度と同じ速度である（印刷時には定着ローラー５１を第１速度で回転させる）。第２速度は、第１速度よりも遅い速度であり、たとえば、第１速度の３／４の速度である。第３速度は、第２速度よりも遅い速度であり、たとえば、第１速度の１／２の速度である。第４速度は、第３速度よりも遅い速度であり、たとえば、第１速度の１／４の速度である。
【００４７】
以下に、図３に示すフローチャートを参照し、制御部７により行われる回転速度設定処理の流れを説明する。図３に示すフローチャートは、ウォームアップ処理を開始すべき時点になったと制御部７が判断したときにスタートする。すなわち、画像形成装置１００に主電源が投入されたとき、画像形成装置１００が省電力モードから通常モードに復帰したとき、および、カバー１０１が開状態から閉状態に変化したときのいずれかのタイミングで、図３に示すフローチャートがスタートする。
【００４８】
ステップＳ１において、制御部７は、印刷履歴情報が存在するか否かを判断する。印刷履歴情報は、印刷ジョブの実行履歴を示す情報である。画像形成装置１００の納入後、画像形成装置１００が印刷ジョブを実行すると、印刷ジョブの印刷枚数や実行日時、印刷で用いた用紙サイズなどを示す情報が印刷履歴情報として制御部７のメモリー７２に記憶される。ステップＳ１において、印刷履歴情報が存在すると制御部７が判断した場合には、ステップＳ２に移行する。
【００４９】
ステップＳ２に移行すると、制御部１は、第１判定実行条件を満たしているか否かを判断する。制御部７は、画像形成装置１００への主電源の投入がウォームアップ処理の開始トリガーとなった場合に、第１判定実行条件を満たしていると判断する。ステップＳ２において、第１判定実行条件を満たしていると制御部７が判断した場合には、ステップＳ３に移行する。
【００５０】
ステップＳ３に移行すると、制御部７は、定着ローラー５１の中央部温度が予め定められた第１閾値温度以下であり、かつ、画像形成装置１００の機外温度が予め定められた第２閾値温度以下であるという第１条件を満たしているか否かを判定する第１判定を行う。そして、ステップＳ４において、制御部７は、第１条件を満たしているか否かを判断する。その結果、第１条件を満たしていると制御部７が判断した場合には、ステップＳ５に移行する。なお、第１判定については後に詳細に説明する。
【００５１】
ステップＳ５に移行すると、制御部７は、ウォームアップ処理を行うときの定着ローラー５１の回転速度を第１速度に設定する。すなわち、制御部７は、第１条件を満たしている場合、ウォームアップ処理の実行中、定着ローラー５１を第１速度で回転させる。
【００５２】
ステップ１において、印刷履歴情報が存在しないと制御部７が判断した場合にも、ステップＳ５に移行する。たとえば、画像形成装置１００の納入直後に主電源を投入すると、印刷履歴情報が存在しないので、このときに行われるウォームアップ処理では定着ローラー５１が第１速度で回転する。
【００５３】
ステップＳ２において、第１判定実行条件を満たしていないと制御部７が判断した場合には、ステップＳ６に移行する。ステップＳ６に移行すると、制御部７は、第２判定実行条件を満たしているか否かを判断する。制御部７は、省電力モードから通常モードへの復帰がウォームアップ処理の開始トリガーとなった場合に、第２判定実行条件を満たしていると判断する。ステップＳ６において、第２判定実行条件を満たしていると制御部７が判断した場合には、ステップＳ７に移行する。
【００５４】
ステップＳ７に移行すると、制御部７は、前回の印刷での印刷枚数が予め定められた閾値枚数以下であり、かつ、前回の印刷が終了してからの経過時間が予め定められた閾値時間以上であるという第２条件を満たしているか否かを判定する第２判定を行う。なお、ステップＳ４において、第１条件を満たしていないと制御部７が判断した場合にも、ステップＳ７に移行し、第１判定に続いて第２判定が制御部７により行われる。
【００５５】
そして、ステップＳ８において、制御部７は、第２条件を満たしているか否かを判断する。その結果、第２条件を満たしていると制御部７が判断した場合には、ステップＳ９に移行する。なお、第２判定については後に詳細に説明する。
【００５６】
ステップＳ９に移行すると、制御部７は、ウォームアップ処理を行うときの定着ローラー５１の回転速度を第２速度に設定する。すなわち、制御部７は、第２条件を満たしている場合、ウォームアップ処理の実行中、定着ローラー５１を第２速度で回転させる。
【００５７】
ステップＳ６において、第２判定実行条件を満たしていないと制御部７が判断した場合には、ステップＳ１０に移行する。第２判定実行条件を満たしていないということは、カバー１０１の開状態から閉状態への変化がウォームアップ処理の開始トリガーであるということである。
【００５８】
ステップＳ１０に移行すると、制御部７は、定着ローラー５１の中央部温度と端部温度との温度差の絶対値が予め定められた閾値差以下であり、かつ、前回の印刷で用いた用紙サイズが所定サイズ以上であるという第３条件を満たしているか否かを判定する第３判定を行う。なお、ステップＳ８において、第２条件を満たしていないと制御部７が判断した場合にも、ステップＳ１０に移行し、第２判定に続いて第３判定が制御部７により行われる。
【００５９】
そして、ステップＳ１１において、制御部７は、第３条件を満たしているか否かを判断する。その結果、第３条件を満たしていると制御部７が判断した場合には、ステップＳ１２に移行し、第３条件を満たしていないと制御部７が判断した場合には、ステップＳ１３に移行する。なお、第３判定については後に詳細に説明する。
【００６０】
ステップＳ１２に移行すると、制御部７は、ウォームアップ処理を行うときの定着ローラー５１の回転速度を第３速度に設定する。すなわち、制御部７は、第３条件を満たしている場合、ウォームアップ処理の実行中、定着ローラー５１を第３速度で回転させる。一方で、ステップＳ１３に移行すると、制御部７は、ウォームアップ処理を行うときの定着ローラー５１の回転速度を第４速度に設定する。すなわち、制御部７は、第３条件を満たしていない場合、ウォームアップ処理の実行中、定着ローラー５１を第４速度で回転させる。
【００６１】
以下に、制御部７により行われる第１〜第３判定について詳細に説明する。
【００６２】
まず、図４に示すフローチャートを参照し、制御部７により行われる第１判定の流れを説明する。図４に示すフローチャートは、画像形成装置１００への主電源の投入がウォームアップ処理の開始トリガーである（第１判定実行条件が満たされている）と制御部７が判断した場合にスタートする。
【００６３】
ステップＳ２１において、制御部７は、中央部温度センサー５５１の出力値に基づき、定着ローラー５１の中央部温度を検知する。ステップＳ２２において、制御部７は、機外温度センサー１２０の出力値に基づき、画像形成装置１００の機外温度を検知する。
【００６４】
ステップＳ２３において、制御部７は、中央部温度が第１閾値温度以下であるか否かを判断する。その結果、中央部温度が第１閾値温度以下であると制御部７が判断した場合には、ステップＳ２４に移行する。たとえば、第１閾値温度は、４０℃である。
【００６５】
ステップＳ２４に移行すると、制御部４は、機外温度が第２閾値温度以下であるか否かを判断する。その結果、機外温度が第２閾値温度以下であると制御部７が判断した場合には、ステップＳ２５に移行する。たとえば、第２閾値温度は、１５〜１６℃である。
【００６６】
ステップＳ２５に移行すると、制御部７は、第１条件を満たしていると判断する。すなわち、制御部７は、中央部温度が第１閾値温度以下であり、かつ、機外温度が第２閾値温度以下であるとき、第１条件を満たしていると判定する。
【００６７】
ステップＳ２３において、中央部温度が第１閾値温度を超えていると制御部７が判断した場合には、ステップＳ２６に移行する。また、ステップＳ２４において、機外温度が第２閾値温度を超えていると制御部７が判断した場合にも、ステップＳ２６に移行する。ステップＳ２６に移行すると、制御部７は、第１条件を満たしていないと判断する。
【００６８】
第１条件を満たしているということは、ウォームアップ処理の開始時点での定着ローラー５１の中央部温度が第１閾値温度以下になっている（定着ローラー５１の周面が冷めている）ということである。定着ローラー５１が冷めていれば、加圧ローラー５２も冷めていると予測される。ここで、ウォームアップ処理では、定着ローラー５１を加熱しつつ定着ローラー５１を回転させる（加圧ローラー５２も回転させる）が、定着ローラー５１の回転速度が遅ければ、定着ローラー５１から加圧ローラー５２に熱が伝達され易くなるので、定着ローラー５１の周面温度（中央部温度および端部温度）の上昇が緩やかになる。このため、定着ローラー５１の中央部温度が第１閾値温度以下の場合、ウォームアップ処理を行うときの定着ローラー５１の回転速度が低速に設定されていれば、定着ローラー５１の周面温度が定着制御温度に達するタイミングが遅くなる。すなわち、ウォームアップ処理が開始されてから画像形成装置１００がレディ状態になるまでの時間が長くなる。
【００６９】
また、第１条件を満たしているということは、ウォームアップ処理の開始時点での画像形成装置１００の機外温度が第２閾値温度以下になっているということである。ここで、通常では、機外温度が高いほど、定着ローラー５１の周面温度は上がり易く、機外温度が低いほど、定着ローラー５１の周面温度は上がり難い。このため、機外温度が第２閾値温度以下の場合、ウォームアップ処理を行うときの定着ローラー５１の回転速度が低速（定着ローラー５１の熱が加圧ローラー５２に奪われ易い速度）に設定されていれば、定着ローラー５１の周面温度がより上がり難くなり、定着ローラー５１の周面温度が定着制御温度に達するタイミングが遅くなる（ウォームアップ処理が開始されてから画像形成装置１００がレディ状態になるまでの時間が長くなる）。
【００７０】
これらのことから、第１条件を満たしている場合、すなわち、定着ローラー５１の中央部温度が第１閾値温度以下の場合であって、かつ、機外温度が第２閾値温度以下の場合、制御部７は、ウォームアップ処理を行うときの定着ローラー５１の回転速度を最高速度である第１速度に設定する。これにより、画像形成装置１００がレディ状態になるタイミングが遅くなるのを抑制することができる。
【００７１】
次に、図５に示すフローチャートを参照し、制御部７により行われる第２判定の流れを説明する。図５に示すフローチャートは、省電力モードから通常モードへの復帰がウォームアップ処理の開始トリガーである（第２判定実行条件が満たされている）と制御部７が判断した場合にスタートする。あるいは、図５に示すフローチャートは、第１条件を満たしていないと制御部７が判断した場合にスタートする。
【００７２】
ステップＳ３１において、制御部７は、印刷履歴情報に基づき、前回の印刷（直近に行った印刷）での印刷枚数を認識する。前回の印刷で１つの印刷ジョブを単独で実行した場合には、当該１つの印刷ジョブの印刷枚数が前回の印刷での印刷枚数となり、前回の印刷で複数の印刷ジョブを連続して順次実行した場合には、当該複数の印刷ジョブの合計の印刷枚数が前回の印刷での印刷枚数となる。ステップＳ３２において、制御部７は、印刷履歴情報に基づき、前回の印刷が終了してからの経過時間を認識する。
【００７３】
ステップＳ３３において、制御部７は、前回の印刷での印刷枚数が閾値枚数以下であるか否かを判断する。その結果、印刷枚数が閾値枚数以下であると制御部７が判断した場合には、ステップＳ３４に移行する。たとえば、閾値枚数は、４０枚である。
【００７４】
ステップＳ３４に移行すると、制御部７は、前回の印刷が終了してからの経過時間が閾値時間以上であるか否かを判断する。その結果、経過時間が閾値時間以上であると制御部７が判断した場合には、ステップＳ３５に移行する。たとえば、閾値時間は、１０分である。
【００７５】
ステップＳ３５に移行すると、制御部７は、第２条件を満たしていると判断する。すなわち、制御部７は、印刷枚数が閾値枚数以下であり、かつ、経過時間が閾値時間以上であるとき、第２条件を満たしていると判定する。
【００７６】
ステップＳ３３において、印刷枚数が閾値枚数を超えていると制御部７が判断した場合には、ステップＳ３６に移行する。また、ステップＳ３４において、経過時間が閾値時間を下回っていると制御部７が判断した場合にも、ステップＳ３６に移行する。ステップＳ３６に移行すると、制御部７は、第２条件を満たしていないと判断する。
【００７７】
第２条件を満たしているということは、前回の印刷での印刷枚数が閾値枚数以下であったということである。ここで、定着部５の定着ニップを用紙Ｐが通過すると、定着部５のうち用紙Ｐと接した部分の熱が用紙Ｐに奪われる。このため、定着部５のうち用紙Ｐと接した部分と他の部分とで温度差が生じる（温度ムラが生じる）。このような温度ムラは、定着部５の定着ニップを通過した用紙Ｐの枚数（すなわち、印刷枚数）が多いほど大きくなると予測される。定着部５の定着ニップを通過した用紙Ｐの枚数が少ない場合にも温度ムラは生じるが、定着部５の定着ニップを通過した用紙Ｐの枚数が多い場合に比べると温度ムラは小さいと予測される。
【００７８】
ウォームアップ処理の開始時点で温度ムラが解消されずに残っている場合、定着ローラー５１の回転速度が高速に設定されていれば、加圧ローラー５２に生じている温度ムラが解消される前に定着ローラー５１の周面温度が定着制御温度に到達し、加圧ローラー５２に温度ムラが残ったまま印刷が開始され、温度ムラに起因して印刷画質が低下する（定着不良が発生する）という不都合が発生し得る。ウォームアップ処理を行うときの定着ローラー５１の回転速度を低速に設定しておけば、このような不都合は発生し難くなる。
【００７９】
また、第２条件を満たしているということは、前回の印刷が終了してから閾値時間以上の時間が経過しているということである。ここで、前回の印刷が終了してからの経過時間が長いほど、ウォームアップ処理の開始時点での定着ローラー５１の周面温度の低下は大きい。加圧ローラー５２の周面温度の低下も大きいと予測される。したがって、前回の印刷が終了してからの経過時間が閾値時間以上の場合（定着ローラー５１の周面温度の低下が大きい場合）には、画像形成装置１００がレディ状態になるタイミングを考慮すると、ウォームアップ処理を行うときの定着ローラー５１の回転速度を大幅に低下させない方が良い。一方で、前回の印刷が終了してからの経過時間が閾値時間を下回っている場合（定着ローラー５１の周面温度の低下が小さい場合）には、ウォームアップ処理を行うときの定着ローラー５１の回転速度をある程度低下させても、画像形成装置１００がレディ状態になるタイミングは遅くならない（遅くなったとしても遅れ幅は小さい）。
【００８０】
これらのことから、第２条件を満たしている場合、すなわち、前回の印刷での印刷枚数が閾値枚数以下の場合（温度ムラが小さいと予測される場合）であって、かつ、前回の印刷が終了してからの経過時間が閾値時間以上の場合（定着ローラー５１の周面温度の低下が大きい場合）、制御部７は、ウォームアップ処理を行うときの定着ローラー５１の回転速度を第１速度よりも１段階だけ遅い第２速度に設定する。これにより、画像形成装置１００がレディ状態になるタイミングが遅くなるのを抑制しつつ、印刷画質が低下するのを抑制することができる。
【００８１】
一方で、前回の印刷での印刷枚数が閾値枚数を超える場合（温度ムラが大きいと予測される場合）、制御部７は、印刷画質の低下抑制（温度ムラの解消）を優先するため、ウォームアップ処理を行うときの定着ローラー５１の回転速度を第２速度よりもさらに遅い速度に設定する。また、前回の印刷が終了してからの経過時間が閾値時間を下回る場合（定着ローラー５１の周面温度の低下が小さい場合）、ウォームアップ処理を行うときの定着ローラー５１の回転速度を遅くしても、画像形成装置１００がレディ状態になるタイミングは遅くならない（遅くなったとしても遅れ幅は小さい）ので、制御部７は、ウォームアップ処理を行うときの定着ローラー５１の回転速度を第２速度よりもさらに遅い速度に設定する。これにより、温度ムラを効率的に解消することができる。
【００８２】
ここで、画像形成装置１００が省電力モードから通常モードに復帰したとき、画像形成装置１００が通常モードに復帰した時点では定着ローラー５１が冷め切っていない場合がある。この場合には、ウォームアップ処理を行うときの定着ローラー５１の回転速度を第１速度より遅くしても、画像形成装置１００がレディ状態になるタイミングが遅くなるのを抑制することができる。したがって、省電力モードから通常モードへの復帰がウォームアップ処理の開始トリガーであった場合、制御部７は、第１判定を省略し、第２判定を行う。
【００８３】
次に、図６に示すフローチャートを参照し、制御部７により行われる第３判定の流れを説明する。図６に示すフローチャートは、カバー１０１の開状態から閉状態への変化がウォームアップ処理の開始トリガーであると制御部７が判断した場合にスタートする。あるいは、図６に示すフローチャートは、第２条件を満たしていないと制御部７が判断した場合にスタートする。
【００８４】
ステップＳ４１において、制御部７は、中央部温度センサー５５１の出力値に基づき定着ローラー５１の中央部温度を検知するとともに、端部温度センサー５５２の出力値に基づき定着ローラー５１の端部温度を検知する。そして、ステップＳ４２において、制御部７は、中央部温度と端部温度との温度差の絶対値を算出する。また、ステップＳ４３において、制御部７は、印刷履歴情報に基づき、前回の印刷で用いた用紙サイズを認識する。なお、このときに制御部７が認識する用紙サイズは、用紙搬送方向と直交する方向（定着ローラー５１の回転軸方向）の長さである。
【００８５】
ステップＳ４４において、制御部７は、中央部温度と端部温度との温度差（絶対値）が閾値差以下であるか否かを判断する。その結果、温度差が閾値差以下であると制御部７が判断した場合には、ステップＳ４５に移行する。たとえば、閾値差は、２０℃である。
【００８６】
ステップＳ４５に移行すると、制御部７は、前回の印刷で用いた用紙サイズが所定サイズ以上であるか否かを判断する。その結果、用紙サイズが所定サイズ以上であると制御部７が判断した場合には、ステップＳ４６に移行する。
【００８７】
ステップＳ４６に移行すると、制御部７は、第３条件を満たしていると判断する。すなわち、制御部７は、温度差が閾値差以下であり、かつ、用紙サイズが所定サイズ以上であるとき、第３条件を満たしていると判定する。
【００８８】
ステップＳ４４において、温度差が閾値差よりも大きいと制御部７が判断した場合にはステップＳ４７に移行する。また、ステップＳ４５において、用紙サイズが所定サイズよりも小さいと制御部７が判断した場合にもステップＳ４７に移行する。ステップＳ４７に移行すると、制御部７は、第３条件を満たしていない判定する。
【００８９】
第３条件を満たしているということは、定着ローラー５１の中央部温度と端部温度との温度差が閾値差以下になっているということである。定着ローラー５１の中央部温度と端部温度との温度差が閾値差以下であれば、加圧ローラー５２の周面のうち回転軸方向の中央部および端部の各温度の温度差も閾値差以下になっていると予測される。
【００９０】
また、第３条件を満たしているということは、前回の印刷で用いた用紙サイズが所定サイズ以上であったということである。ここで、定着部５の定着ニップを通過する用紙Ｐのサイズが大きいほど、用紙Ｐの通紙領域が幅方向（定着ローラー５１の回転軸方向）に大きくなる。したがって、前回の印刷で用いた用紙サイズが所定サイズ以上であった場合には、所定サイズ未満であった場合に比べて、加圧ローラー５２の周面のうち回転軸方向の中央部および端部の各温度の温度差が小さくなると予測される。
【００９１】
これらのことから、第３条件を満たしている場合、すなわち、定着ローラー５１の中央部温度と端部温度との温度差が閾値差以下の場合であって、かつ、前回の印刷で用いた用紙サイズが所定サイズ以上の場合には、第３条件を満たしていない場合と比べると、印刷画質の低下抑制（温度ムラの解消）を考慮しなくてもよい。このため、制御部７は、ウォームアップ処理を行うときの定着ローラー５１の回転速度を第２速度よりも１段階だけ遅い第３速度に設定する。一方で、第３条件を満たしていない場合、制御部７は、ウォームアップ処理を行うときの定着ローラー５１の回転速度を第３速度よりもさらに遅い第４速度に設定する。これにより、印刷画質の低下抑制（温度ムラの解消）が優先される。
【００９２】
ここで、ユーザーによるジャム解消作業では、カバー１０１が開けられるが、長期間にわたってカバー１０１が開けられたまま放置されることはない。すなわち、ジャムが発生して以降、カバー１０１が開状態から閉状態になったとき（ユーザーによるジャム解消作業が終了したとき）には、定着ローラー５１の周面温度が比較的高い状態になっている可能性が高い。この場合には、ウォームアップ処理を行うときの定着ローラー５１の回転速度を第２速度よりも遅くしても、画像形成装置１００がレディ状態になるタイミングが遅くなるのを抑制することができる。したがって、カバー１０１の開状態から閉状態への変化がウォームアップ処理の開始トリガーとなった場合、制御部７は、第１判定および第２判定を省略し、第３判定を行う。
【００９３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００９４】
４  画像形成部
５  定着部
７  制御部
５１  定着ローラー
５２  加圧ローラー
５３  ヒーター
５４  定着モーター（モーター）
１００  画像形成装置
１０１  カバー
１１０  開閉センサー
１２０  機外温度センサー
５５１  中央部温度センサー
５５２  端部温度センサー
ＳＷ  電源スイッチ
【図１】
2018205422.tif 000003
【図２】
2018205422.tif 000004
【図３】
2018205422.tif 000005
【図４】
2018205422.tif 000006
【図５】
2018205422.tif 000007
【図６】
2018205422.tif 000008